【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】
周辺装置が接続されたクライアント装置と通信する情報処理装置において、
前記周辺装置を制御するドライバ情報をシステムにインストールする際に生成されるインストール構成情報を管理する管理手段と、
前記クライアント装置の要求に応答して、前記管理手段が管理するインストール構成情報の格納された場所を示す情報、並びに、ドライバ情報をインストールするモジュールであるドライバ情報設定モジュールの格納された場所を示す情報を送信する処理を制御する送信制御手段を有することを特徴とする情報処理装置。
【請求項２】
前記送信制御手段は、前記クライアント装置に対してドライバ情報を送信する処理を制御するものであり、
前記クライアント装置は、前記インストール構成情報を用いて前記ドライバ情報の設定を行うことを特徴とする請求項１に記載の情報処理装置。
【請求項３】
前記インストール構成情報は、前記周辺装置のネットワークアドレスを含むことを特徴とする請求項１に記載の情報処理装置。
【請求項４】
前記ドライバ情報設定モジュールは、ドライバインストーラを含み、前記ドライバ情報設定モジュールが格納された場所を示す情報とは、ドライバインストーラのＵＮＣパス名を含むことを特徴とする請求項２に記載の情報処理装置。
【請求項５】
前記インストール構成情報は、前記情報処理装置のデータ出力先を示すポート情報を含むことを特徴とする請求項１に記載の情報処理装置。
【請求項６】
前記管理手段は、前記周辺制御装置を制御するドライバインストーラが格納された場所を示す情報を、前記情報処理装置において定義された識別情報に対応付けて管理することを特徴とする請求項１に記載の情報処理装置。
【請求項７】
周辺装置が接続されたクライアント装置と通信する情報処理装置における方法において、
前記周辺装置を制御するドライバ情報をシステムにインストールする際に生成されるインストール構成情報を管理する管理工程と、
前記クライアント装置の要求に応答して、前記管理手段が管理するインストール構成情報の格納された場所を示す情報、並びに、ドライバ情報を設定するモジュールであるドライバ情報設定モジュールが格納された場所示す情報を送信する処理を制御する送信制御工程を有することを特徴とする情報処理方法。
【請求項８】
前記送信制御工程では、前記クライアント装置に対してドライバ情報を送信する処理を制御し、
前記クライアント装置は、前記インストール構成情報を用いて前記ドライバ情報の設定を行うことを特徴とする請求項７に記載の情報処理方法。
【請求項９】
前記インストール構成情報は、前記周辺装置のネットワークアドレスを含むことを特徴とする請求項７に記載の情報処理方法。
【請求項１０】
前記ドライバ情報設定モジュールは、ドライバインストーラを含み、前記ドライバ情報設定モジュールが格納された場所を示す情報とは、ドライバインストーラのＵＮＣパス名を含むことを特徴とする請求項８に記載の情報処理方法。
【請求項１１】
前記インストール構成情報は、前記情報処理装置のデータ出力先を示すポート情報を含むことを特徴とする請求項７に記載の情報処理方法。
【請求項１２】
前記管理工程では、前記周辺制御装置を制御するドライバインストーラが格納された場所を示す情報を、前記情報処理装置において定義された識別情報に対応付けて管理することを特徴とする請求項７に記載の情報処理方法。
【請求項１３】
周辺装置が接続されたクライアント装置と通信する情報処理装置において実行される制御プログラムにおいて、
前記周辺装置を制御するドライバ情報をシステムにインストールする際に生成されるインストール構成情報を管理する管理工程と、
前記クライアント装置の要求に応答して、前記管理工程が管理するインストール構成情報の格納された場所を示す情報、並びに、ドライバ情報を設定するモジュールであるドライバ情報設定モジュールが格納された場所を示す情報を送信する処理を制御する送信制御工程と、
を情報処理装置に実行させることを特徴とする制御プログラム。
【請求項１４】
前記送信制御工程では、前記クライアント装置に対してドライバ情報を送信する処理を制御する手順を、さらに情報処理装置に実行させることを特徴とする請求項１３に記載の制御プログラム。
【請求項１５】
前記インストール構成情報は、前記周辺装置のネットワークアドレスを含むことを特徴とする請求項１３に記載の制御プログラム。
【請求項１６】
前記ドライバ情報設定モジュールは、ドライバインストーラを含み、前記ドライバ情報設定モジュールが格納された場所を示す情報とは、ドライバインストーラのＵＮＣパス名を含むことを特徴とする請求項１４に記載の制御プログラム。
【請求項１７】
前記インストール構成情報は、前記情報処理装置のデータ出力先を示すポート情報を含むことを特徴とする請求項１３に記載の制御プログラム。
【請求項１８】
前記管理工程では、前記周辺制御装置を制御するドライバインストーラが格納された場所を示す情報を、前記情報処理装置において定義された識別情報に対応付けて管理する手順をさらにコンピュータに実行させることを特徴とする請求項１３に記載の制御プログラム。
【請求項１９】
周辺装置、並びに、サーバ装置と通信する情報処理装置において、
前記周辺装置を制御するドライバ情報を前記サーバ装置にインストールする際に生成されるインストール構成情報が格納された場所、並びに、ドライバのインストール処理を実行するドライバ情報設定モジュールが格納された場所を示す情報を前記サーバ装置から取得する処理を制御する取得制御手段と、
前記周辺装置を制御するドライバ情報をインストールする際にユーザに入力させるドライバ情報の場所を指定する項目の初期値として、前記取得制御手段により取得されたドライバ情報設定モジュールが格納された場所及びインストール構成情報が格納された場所を示す情報を設定する設定手段と、
を有することを特徴とする情報処理装置。
【請求項２０】
前記取得制御手段は、ドライバ情報を設定するドライバ情報設定モジュールを取得する処理を制御することを特徴とする請求項１９に記載の情報処理装置。
【請求項２１】
前記取得制御手段により取得されたドライバ情報設定モジュールは、前記インストール構成モジュールに基づいてドライバ情報を設定することを特徴とする請求項２０に記載の情報処理装置。
【請求項２２】
前記インストール構成情報は、前記周辺装置のネットワークアドレスを含むことを特徴とする請求項１９に記載の情報処理装置。
【請求項２３】
前記ドライバ情報設定モジュールは、ドライバインストーラを含み、前記ドライバ情報設定モジュールが格納された場所を示す情報とは、ドライバインストーラのＵＮＣパス名を含むことを特徴とする請求項２０に記載の情報処理装置。
【請求項２４】
前記インストール構成情報は、前記情報処理装置のデータ出力先を示すポート情報を含むことを特徴とする請求項１９に記載の情報処理装置。
【請求項２５】
前記情報処理装置は、周辺装置で処理すべきデータを前記周辺装置に直接送信することを特徴とする請求項２４に記載の情報処理装置。
【請求項２６】
前記情報処理装置は、周辺装置管理装置を経由して周辺装置で処理すべきデータを周辺装置に送信することを特徴とする請求項２４に記載の情報処理装置。
【請求項２７】
周辺装置、並びに、サーバ装置と通信する情報処理装置における方法において、
前記周辺装置を制御するドライバ情報を前記サーバ装置にインストールする際に生成されるインストール構成情報が格納された場所、並びに、ドライバのインストール処理を実行するドライバ情報設定モジュールが格納された場所を示す情報を前記サーバ装置から取得する処理を制御する取得制御工程と、
前記周辺装置を制御するドライバ情報をインストールする際にユーザに入力させるドライバ情報の場所を指定する項目の初期値として、前記取得制御工程により取得されたドライバ情報設定モジュールが格納された場所及びインストール構成情報が格納された場所を示す情報を設定する設定工程と、
を有することを特徴とする情報処理方法。
【請求項２８】
前記取得制御工程では、ドライバ情報を設定するドライバ情報設定モジュールを取得する処理を制御することを特徴とする請求項２７に記載の情報処理方法。
【請求項２９】
前記取得制御工程で取得されたドライバ情報設定モジュールは、前記インストール構成モジュールに基づいてドライバ情報を設定することを特徴とする請求項２８に記載の情報処方法。
【請求項３０】
前記インストール構成情報は、前記周辺装置のネットワークアドレスを含むことを特徴とする請求項２７に記載の情報処理方法。
【請求項３１】
前記ドライバ情報設定モジュールは、ドライバインストーラを含み、前記ドライバ情報設定モジュールが格納された場所を示す情報とは、ドライバインストーラのＵＮＣパス名を含むことを特徴とする請求項２８に記載の情報処理方法。
【請求項３２】
前記インストール構成情報は、前記情報処理装置のデータ出力先を示すポート情報を含むことを特徴とする請求項２７に記載の情報処理方法。
【請求項３３】
前記情報処理装置は、周辺装置で処理すべきデータを前記周辺装置に直接送信する工程をさらに含むことを特徴とする請求項３２に記載の情報処理方法。
【請求項３４】
前記情報処理装置は、周辺装置管理装置を経由して周辺装置で処理すべきデータを周辺装置に送信する工程をさらに含むことを特徴とする請求項３２に記載の情報処理方法。
【請求項３５】
周辺装置、並びに、サーバ装置と通信する情報処理装置において実行される制御プログラムにおいて、
前記周辺装置を制御するドライバ情報を前記サーバ装置にインストールする際に生成されるインストール構成情報が格納された場所、並びに、ドライバのインストール処理を実行するドライバ情報設定モジュールが格納された場所を示す情報を前記サーバ装置から取得する処理を制御する取得制御工程と、
前記周辺装置を制御するドライバ情報をインストールする際にユーザに入力させるドライバ情報の場所を指定する項目の初期値として、前記取得制御工程により取得されたドライバ情報設定モジュールが格納された場所及びインストール構成情報が格納された場所を示す情報を設定する設定工程と、
をコンピュータに実行させることを特徴とする制御プログラム。
【請求項３６】
周辺装置、並びに、サーバ装置、並びに、クライアント装置を含むネットワークシステムにおいて、
前記周辺装置を制御するドライバ情報をシステムにインストールする際に生成されるインストール構成情報を管理する管理手段と、
前記クライアント装置の要求に応答して、前記管理手段が管理するインストール構成情報の格納された場所を示す情報を送信する処理を制御する送信制御手段と、
前記周辺装置を制御するドライバ情報を前記ネットワークシステムにインストールする際に生成されるインストール構成情報が格納された場所、並びに、ドライバのインストール処理を実行するドライバ情報設定モジュールが格納された場所を示す情報を前記サーバ装置から取得する処理を制御する取得制御手段と、
前記周辺装置を制御するドライバ情報をインストールする際にユーザに入力させるドライバ情報の場所を指定する項目の初期値として、前記取得制御手段により取得されたドライバ情報設定モジュールが格納された場所及びインストール構成情報が格納された場所を示す情報を設定する設定手段と、
を有することを特徴とするネットワークシステム。